(57)【要約】【課題】横目地と縦目地との接続部の防水性を高める。【解決手段】縁切部材（１）は、縦目地（Ｍ１）と横目地（Ｍ２）との接続部の一部を構成する上側に位置する左右の外装パネル（１４）の下端と横目地（Ｍ２）に縦目地（Ｍ１）が接続する縦目地（Ｍ１）の下端とに接するように配置される第１部位（８）と、下側に位置する左右の外装パネル（１４）の上端と横目地（Ｍ２）に縦目地（Ｍ１）が接続する縦目地（Ｍ１）の上端とに接するように配置される第２部位（６）と、第１部位（８）および第２部位（６）のそれぞれに対して上下方向の弾性力を付与する弾性部（５）と、を備えている。【選択図】図３
2020033800.tif 000002
【特許請求の範囲】
【請求項１】
建築物における複数の外装パネルの間に形成される縦目地と横目地との接続部に配設される縁切部材であって、
上記接続部の一部を構成する上側に位置する左右の外装パネルの下端と横目地に縦目地が接続する縦目地の下端とに接するように配置される第１部位と、
下側に位置する左右の外装パネルの上端と横目地に縦目地が接続する縦目地の上端とに接するように配置される第２部位と、
上記第１部位および上記第２部位のそれぞれに対して上下方向の弾性力を付与する弾性部と、を備えていることを特徴とする縁切部材。
【請求項２】
上記第１部位と、上側に位置する左右の外装パネルの下端、および横目地に縦目地が接続する縦目地の下端と、の間をシールする第１シール部材が、上記第１部位に設けられていることを特徴とする請求項１に記載の縁切部材。
【請求項３】
上記第２部位と、下側に位置する左右の外装パネルの上端、および横目地に縦目地が接続する縦目地の上端と、の間をシールする第２シール部材が、上記第２部位に設けられていることを特徴とする請求項１または２に記載の縁切部材。
【請求項４】
上記第１シール部材に、室外側に水を排出するための溝が形成されていることを特徴とする請求項２に記載の縁切部材。
【請求項５】
上記第１部位、上記第２部位および上記弾性部は、金属材料で形成されていることを特徴とする請求項１から４までの何れか１項に記載の縁切部材。
【請求項６】
上記第１部位、上記第２部位および上記弾性部で構成される部位の断面形状が略Ｚ字形状を為していることを特徴とする請求項１から５までの何れか１項に記載の縁切部材。
【請求項７】
建築物における複数の外装パネルの間に形成される横目地と縦目地との接続部に配設される縁切部材が、上記接続部に配設された目地防水構造であって、
上記縁切部材は、
上記接続部の一部を構成する上側に位置する左右の外装パネルの下端と横目地に縦目地が接続する縦目地の下端とに接するように配置される第１部位と、
下側に位置する左右の外装パネルの上端と横目地に縦目地が接続する縦目地の上端とに接するように配置される第２部位と、
上記第１部位および上記第２部位のそれぞれに対して上下方向の弾性力を付与する弾性部と、を備えていることを特徴とする目地防水構造。
【発明の詳細な説明】
【技術分野】
【０００１】
本発明は、建築物における複数の外装パネルの間に形成される縦目地と横目地との接続部に配設される縁切部材、および該縁切部材が上記接続部に配設された目地防水構造に関する。
【背景技術】
【０００２】
外装パネルを複数枚並べ、建物の壁部分に取り付けると、外装パネル間に目地と呼ばれる隙間が発生する。この隙間は放置しておくと、その部位から水が侵入し、悪影響を及ぼす。
【０００３】
特許文献１には、建築物の外壁材（外装パネル）と裏地材との間の密封材挿入空間に密封材を嵌め込んで、この目地部をその背面側からシールする密封材が開示されている。この密封材は、弾性変形可能な材質で成形され、変形による復元力により上記裏地材の前面に弾接される密封材本体と、密封材本体の前面に一体に設けられる圧縮変形可能なシール体から構成されている。また、上記密封材は、密封材本体の変形に起因する復元力によりシール体を圧縮させて横方向に隣接する外壁材の隣接部の背面に密着させて、外壁材の縦目地部をその背面側からシールしている。
【先行技術文献】
【特許文献】
【０００４】
【特許文献１】特開平９−８８１９６号公報（１９９７年３月３１日公開）
【発明の概要】
【発明が解決しようとする課題】
【０００５】
しかしながら、上記特許文献１の密封材は、外壁材と裏地材との間の密封材挿入空間に配設されるものであり、複数の外装材の間に形成される縦目地と横目地との接続部に配設されるものではない。したがって、上記特許文献１の密封材は、縦目地部分の防水性を高める観点については考慮されているものの、縦目地と横目地との接続部の防水性を高める観点については何も考慮されていないという問題点がある。この縦目地と横目地との接続部は、目地に侵入した水が集まりやすい箇所であるため、従来からその防水性が問題となってきた。
【０００６】
本発明の一態様は、上記の問題点に鑑みて為されたものであり、その目的は、縦目地と横目地との接続部の防水性を高めることができる縁切部材などを実現することにある。
【課題を解決するための手段】
【０００７】
上記の課題を解決するために、本発明の一態様に係る縁切部材は、建築物における複数の外装パネルの間に形成される縦目地と横目地との接続部に配設される縁切部材であって、上記接続部の一部を構成する上側に位置する左右の外装パネルの下端と横目地に縦目地が接続する縦目地の下端とに接するように配置される第１部位と、下側に位置する左右の外装パネルの上端と横目地に縦目地が接続する縦目地の上端とに接するように配置される第２部位と、上記第１部位および上記第２部位のそれぞれに対して上下方向の弾性力を付与する弾性部と、を備えている構成である。
【０００８】
上記構成によれば、弾性部の弾性力により、第１部位と、上側に位置する左右の外装パネルの下端、および横目地に縦目地が接続する縦目地の下端と、の間を密接させることができる。また、第２部位と、下側に位置する左右の外装パネルの上端、および横目地に縦目地が接続する縦目地の上端と、の間を密接させることができる。また、上記構成によれば、弾性部の弾性力により、複数の外装パネルの配置位置のばらつきに追従して第１部位と、上側に位置する左右の外装パネルの下端、および横目地に縦目地が接続する縦目地の下端と、の間、および第２部位と、下側に位置する左右の外装パネルの上端、および横目地に縦目地が接続する縦目地の上端と、の間を密接させることができる。このため、縦目地と横目地との接続部の防水性を高めることができる。
【０００９】
本発明の一態様に係る縁切部材は、上記第１部位と、上側に位置する左右の外装パネルの下端、および横目地に縦目地が接続する縦目地の下端と、の間をシールする第１シール部材が、上記第１部位に設けられていることが好ましい。上記構成によれば、第１部位と、上側に位置する左右の外装パネルの下端、および横目地に縦目地が接続する縦目地の下端と、の間の防水性を高めることができる。
【００１０】
本発明の一態様に係る縁切部材は、上記第２部位と、下側に位置する左右の外装パネルの上端、および横目地に縦目地が接続する縦目地の上端と、の間をシールする第２シール部材が、上記第２部位に設けられていることが好ましい。上記構成によれば、第２部位と、下側に位置する左右の外装パネルの上端、および横目地に縦目地が接続する縦目地の上端と、の間の防水性を高めることができる。
【００１１】
本発明の一態様に係る縁切部材は、上記第１シール部材に、室外側に水を排出するための溝が形成されていることが好ましい。上記構成によれば、縦目地を流れて接続部に達した水を室外に排出させることができるため、室内側への水漏れを抑制することができる。
【００１２】
本発明の一態様に係る縁切部材は、上記第１部位、上記第２部位および上記弾性部は、金属材料で形成されていることが好ましい。上記構成によれば、第１部位と、上側に位置する左右の外装パネルの下端、および横目地に縦目地が接続する縦目地の下端と、の間および第２部位と、下側に位置する左右の外装パネルの上端、および横目地に縦目地が接続する縦目地の上端と、の間の密接状態を長期間維持することができる。このため、長期間に亘って縦目地と横目地との接続部の防水性を高めることができる。
【００１３】
本発明の一態様に係る縁切部材は、上記第１部位、上記第２部位および上記弾性部で構成される部位の断面形状が略Ｚ字形状を為していることが好ましい。この略Ｚ字形状の構造は、例えば、平板形状の材料を２回折り返すことにより作成することができる。このため、縁切部材の作成が容易となる。
【００１４】
本発明の一態様に係る目地防水構造は、建築物における複数の外装パネルの間に形成される横目地と縦目地との接続部に配設される縁切部材が、上記接続部に配設された目地防水構造であって、上記縁切部材は、上記接続部の一部を構成する上側に位置する左右の外装パネルの下端と横目地に縦目地が接続する縦目地の下端とに接するように配置される第１部位と、下側に位置する左右の外装パネルの上端と横目地に縦目地が接続する縦目地の上端とに接するように配置される第２部位と、上記第１部位および上記第２部位のそれぞれに対して上下方向の弾性力を付与する弾性部と、を備えている構成である。上記構成によれば、縦目地と横目地との接続部の防水性を高めることができる目地防水構造を実現することができる。
【発明の効果】
【００１５】
本発明の一態様によれば、縦目地と横目地との接続部の防水性を高めることができるという効果を奏する。
【図面の簡単な説明】
【００１６】
【図１】本発明の実施形態に係る縁切部材の構成を示す斜視図である。
【図２】（ａ）は、外装パネルの上側に上記縁切部材を取付けたときの状態を示す斜視図であり、（ｂ）は、（ａ）に示す上記縁切部材の矢視断面図である。
【図３】上記縁切部材に関し、第１部位の上側に別の外装パネルを載置したときの状態を示す斜視図である。
【図４】上記縁切部材による排水の流れを示す斜視図である。
【図５】（ａ）は、弾性部の変形例の断面構造を示す図であり、（ｂ）は、弾性部の別の変形例の断面構造を示す図である。
【発明を実施するための形態】
【００１７】
以下、本発明の実施の形態について、図１〜図５に基づいて説明すれば、以下のとおりである。
【００１８】
〔縁切部材の構成〕
図１は、本発明の実施形態に係る縁切部材１の構成を示す斜視図である。なお、説明の便宜上、紙面に向かって鉛直上方向を上方向、鉛直下方向を下方向とする。縁切部材１は、住宅などの建築物の外壁をなす複数の外装パネルの縦目地と横目地との接続部（Ｌ字型、十字型および逆字型などの目地の接続部）に配設されることにより、当該接続部における防水性を向上させるものである。
【００１９】
図１に示すように、本実施形態の縁切部材１は、第１部位８、第２部位６、弾性部５、直立部２０、掛止部２、第１シール部材３および第２シール部材７を備える。第１部位８、第２部位６、弾性部５、直立部２０および掛止部２のそれぞれは、ステンレスなどの金属材料で構成されている。第１部位８、第２部位６、弾性部５および直立部２０のそれぞれは平板形状を為している。
【００２０】
第１部位８は、後述する縦目地Ｍ１と横目地Ｍ２との接続部の一部を構成する水平領域（横目地Ｍ２）の上端側に配置される（図３参照）。より具体的には、第１部位８は、縦目地Ｍ１と横目地Ｍ２との接続部の一部を構成する上側に位置する左右の外装パネル１４の下端と横目地Ｍ２に縦目地Ｍ１が接続する縦目地Ｍ１の下端とに接するように配置される。
【００２１】
また、第２部位６は、上記水平領域の下端側に配置される。より具体的には、第２部位６は、下側に位置する左右の外装パネル１４の上端と横目地Ｍ２に縦目地Ｍ１が接続する縦目地Ｍ１の上端とに接するように配置される。
【００２２】
第１部位８の室内側の端部には、後述する外装パネル受け１１の側壁部１２に当接させられる直立部２０が連結されている〔図２の（ａ）参照〕。また、直立部２０の上側には、外装パネル受け１１の側壁部１２の上端に引掛けられる掛止部２が形成されている。
【００２３】
なお、上述した第１部位８、第２部位６、弾性部５、直立部２０および掛止部２のそれぞれの構成材料は、金属材料に限定されず、硬質の樹脂材料などを用いることもできる。硬質の樹脂材料としては、例えば、硬質ＰＶＣ（ポリ塩化ビニル）を挙示することができる。
【００２４】
弾性部５の室外側の端部５ａは、第１部位８の室外側の端部と連結されている。一方、弾性部５の室内側の端部５ｂは、第２部位６の室内側の端部と連結されている。これにより、第１部位８、第２部位６および弾性部５で構成される部位の断面形状は略Ｚ字形状を為している。この略Ｚ字形状の構造は、平板形状の金属材料を端部５ａおよび端部５ｂで２回折り返すことにより作成することができる。このため、縁切部材１の作成が容易となる。弾性部５は、第１部位８および第２部位６のそれぞれに対して上下方向の弾性力を付与する機能を有している。
【００２５】
また、上記構成によれば、第１部位８、第２部位６および弾性部５のそれぞれが金属材料で構成されているため、縁切部材１を縦目地Ｍ１と横目地Ｍ２の接続部に配設した際に、第１部位８と、上側に位置する左右の外装パネル１４の下端、および横目地Ｍ２に縦目地Ｍ１が接続する縦目地Ｍ１の下端と、の間、ならびに第２部位６と、下側に位置する左右の外装パネル１４の上端、および横目地Ｍ２に縦目地Ｍ１が接続する縦目地Ｍ１の上端と、の間の密接状態を長期間維持することができる。このため、長期間に亘って縦目地Ｍ１と横目地Ｍ２との接続部の防水性を高めることができる。
【００２６】
本実施形態の第１部位８、第２部位６および弾性部５で構成される部位は、平板形状の金属材料が２回折り返された略Ｚ字形状を為している。このため、弾性部５の弾性力により、第１部位８と、上側に位置する左右の外装パネル１４の下端、および横目地Ｍ２に縦目地Ｍ１が接続する縦目地Ｍ１の下端と、の間を密接させることができる。また、第２部位６と、下側に位置する左右の外装パネル１４の上端、および横目地Ｍ２に縦目地Ｍ１が接続する縦目地Ｍ１の上端と、の間を密接させることができる。また、上記構成によれば、弾性部５の弾性力により、複数の外装パネルの配置位置のばらつきに追従して、第１部位８と、上側に位置する左右の外装パネル１４の下端、および横目地Ｍ２に縦目地Ｍ１が接続する縦目地Ｍ１の下端と、の間、ならびに第２部位６と、下側に位置する左右の外装パネル１４の上端、および横目地Ｍ２に縦目地Ｍ１が接続する縦目地Ｍ１の上端と、の間を密接させることができる。このため、縦目地Ｍ１と横目地Ｍ２との接続部の防水性を高めることができる。
【００２７】
第１部位８の上面には、横目地（水平領域）Ｍ２の上端側との間をシールする第１シール部材３が設けられている。より具体的には、第１部位８の上面には、第１部位８と、上側に位置する左右の外装パネル１４の下端、および横目地Ｍ２に縦目地Ｍ１が接続する縦目地Ｍ１の下端と、の間をシールする第１シール部材３が設けられている。上記構成によれば、第１部位８と横目地Ｍ２の上端との間、すなわち第１部位８と、上側に位置する左右の外装パネル１４の下端、および横目地Ｍ２に縦目地Ｍ１が接続する縦目地Ｍ１の下端と、の間の防水性を高めることができる。
【００２８】
第２部位６の下面には、横目地（水平領域）Ｍ２の下端側との間をシールする第２シール部材７が設けられている。より具体的には、第２部位６の下面には、第２部位６と、下側に位置する左右の外装パネル１４の上端、および横目地Ｍ２に縦目地Ｍ１が接続する縦目地Ｍ１の上端と、の間をシールする第２シール部材７が設けられている。上記構成によれば、第２部位６と横目地Ｍ２の下端との間、すなわち第２部位６と、下側に位置する左右の外装パネル１４の上端、および横目地Ｍ２に縦目地Ｍ１が接続する縦目地Ｍ１の上端と、の間の防水性を高めることができる。
【００２９】
本実施形態の第１シール部材３および第２シール部材７のそれぞれの構成材料は、ＥＰＤＭ（エチレンプロピレンジエンゴム）連泡スポンジであるが、これに限定されず、例えば、ポリウレタンを用いることができる。
【００３０】
第１シール部材３の室外側には、室外側に水を排出するための排水溝（溝）１０が形成されている。上記構成によれば、縦目地Ｍ１を流れて接続部に達した水を室外に排出させることができるため、室内側への水漏れを抑制することができる。なお、本実施形態の排水溝１０は、室外側に開いた略コの字状であるが、排水溝１０の形状は、室外側に開いた略Ｖ字状や略Ｕ字状などであっても良い。
【００３１】
〔縁切部材の取付け方法〕
次に、縁切部材１の建物に対する取付方法について説明する。図２の（ａ）は、外装パネル１４の上方に縁切部材１を取付けたときの状態を示す斜視図である。同図に示すように、外装パネル受け１１は、側壁部１２と底板部１３とを備える。縁切部材１の第１部位８は、外装パネル受け１１の底板部１３の上面に配置される。
【００３２】
縁切部材１の第２部位６は、外装パネル１４の上端面１５に配置される。また、縁切部材１の直立部２０を、側壁部１２に当接させることによって、縁切部材１の位置決めが可能となる。また、掛止部２を側壁部１２の上端に引掛けることで、直立部２０と側壁部１２との当接状態が解除されることを抑制することができる。
【００３３】
図２の（ｂ）は、図２の（ａ）に示す縁切部材１の矢視断面図である。同図に示すように、第１部位８、第２部位６および弾性部５を構成する部位の断面形状が略Ｚ字形状を為していることにより、第１部位８および第２部位６のそれぞれには上下方向の弾性力が働く。このため、第１部位８の底面は、底板部１３に対して斜め上方に浮いた状態となっている。また、第２シール部材７の下面は、外装パネル１４の上端面１５に対して斜め上方に浮いた状態となっている。
【００３４】
次に、外装パネル受け１１に取付けた縁切部材１に対して、第１部位８（第１シール部材３）の上面に外装パネル１９を載置したときの状態を図３に示す。外装パネル１９を縁切部材１の第１シール部材３の上面に載置したとき、外装パネル１９の底面と第１シール部材３の上面とが当接する。
【００３５】
このとき、外装パネル１９の自重により、図２の（ｂ）に示すように少し浮いていた第１部位８の下面は、外装パネル受け１１の底板部１３の上面に押し付けられ、第１部位８の下面は、底板部１３の上面に当接する。また、図２の（ｂ）に示すように少し浮いていた第２シール部材７の下面は、外装パネル１４の上端面１５に押しつけられ、第２シール部材７の下面は、上端面１５と当接する。
【００３６】
これにより、これにより、弾性部５の弾性力により外装パネル１９の配置位置のばらつきに追従して第１部位８と横目地Ｍ２の上端との間および第２部位６と横目地Ｍ２の下端との間を密接させることができる。より具体的には、弾性部５の弾性力により外装パネル１９の配置位置のばらつきに追従して第１部位８と、上側に位置する左右の外装パネル１４の下端、および横目地Ｍ２に縦目地Ｍ１が接続する縦目地Ｍ１の下端と、の間、ならびに第２部位６と、下側に位置する左右の外装パネル１４の上端、および横目地Ｍ２に縦目地Ｍ１が接続する縦目地Ｍ１の上端と、の間を密接させることができる。また、上記の取付方法により、縁切部材１が、縦目地Ｍ１と横目地Ｍ２との接続部に配設された目地防水構造１００を実現できる。
【００３７】
〔縁切部材による排水〕
次に、図４に示すように、外装パネル１９の左側の側面には、シール材２６が設けられている。このシール材２６を上から下に流れる水は、第１シール部材３に形成された排水溝１０まで達し、排水溝１０により室外へ排出される（白抜きの矢印参照）。
【００３８】
次に、弾性部５と第２部位６との間に形成される間隙には、シーリング材２９が嵌合される。シーリング材２９は、シーリングバッカー３０を介して上記間隙へ嵌合される。シーリング材２９により、外装パネル１４の上端面１５と外装パネル１９の下端面との間の間隙（横目地Ｍ２）がシールされる。
【００３９】
また、図４に示すように、第１シール部材３の上面から上方向へ向けて直立する気密材２８を外装パネル１９の左側の側面に設けても良い。この気密材２８により、外装パネル１９と、外装パネル１９の左側に隣接して配置される外装パネル（不図示）と、の間の気密性を高めて、水を排水溝１０へ案内する効果をより高めることができる。
【００４０】
上述したように、縁切部材１は、建築物における複数の外装パネルの間に形成される縦目地Ｍ１と横目地Ｍ２との接続部に配設される。また、縁切部材１は、横目地Ｍ２の上端側に配置される第１部位８と、横目地Ｍ２の下端側に配置される第２部位６と、第１部位８および第２部位６のそれぞれに対して上下方向の弾性力を付与する弾性部５と、を備えている。このため、弾性部５の弾性力により第１部位８と横目地Ｍ２の上端との間を密接させることができる。また、同時に第２部位６と第２部位６の下端との間を密接させることができる。また、上記構成によれば、弾性部５の弾性力により複数の外装パネルの配置位置のばらつきに追従して第１部位８と横目地Ｍ２の上端との間および第２部位６と横目地Ｍ２の下端との間を密接させることができる。このため、縦目地Ｍ１と横目地Ｍ２との接続部の防水性を高めることができる。
【００４１】
〔弾性部の変形例〕
上述した形態では、第１部位８、第２部位６および弾性部５を構成する部位の断面形状が略Ｚ字形状をなす形態について説明したが、第１部位８、第２部位６および弾性部５を構成する部位の断面形状は、これに限定されない。図５の（ａ）は、弾性部５の変形例の断面構造を示す図である。図５の（ｂ）は、弾性部５の別の変形例の断面構造を示す図である。
【００４２】
第１部位８、第２部位６および弾性部５を構成する部位は、外装パネル１９を第１シール部材３の上面へ載置したときにおいて、弾性部５により第１部位８および第２部位６のそれぞれに対して上下方向の弾性力が付与される構造を有していればよい。また、弾性部５は、複数回の折り返しを有する構造であってもよい。
【００４３】
弾性部５の形状は、図５の（ａ）および図５の（ｂ）に示すように折り返し回数が３回の略Ｗ字形状を為していても良い。なお、図５の（ａ）では、折り返し部分の形状が曲面状に湾曲している形態を示しているが、図５の（ｂ）では、折り返し部分が鋭角的に屈曲している形態を示している。以上の構成によれば、平板形状の金属材料を複数回折り返すことで、縁切部材１を作成できるため、縁切部材１の作成が容易となる。
【００４４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４５】
１  縁切部材    ３  第１シール部材    ５  弾性部    ６  第２部位
７  第２シール部材    ８  第１部位    １０  排水溝（溝）
１４  外装パネル      １９  外装パネル    Ｍ１  縦目地    Ｍ２  横目地
１００  目地防水構造
【図１】
2020033800.tif 000003
【図２】
2020033800.tif 000004
【図３】
2020033800.tif 000005
【図４】
2020033800.tif 000006
【図５】
2020033800.tif 000007